(57)【要約】【課題】  印刷デバイスの階調特性を補正するための階調補正用データを生成する負担を低減することができる画像形成装置およびキャリブレーションプログラムを提供する。【解決手段】  色の複数の階調のパッチを含むチャートをプリンターによって印刷し、プリンターによって印刷されたチャートにおけるパッチに対して測定デバイスによって測定された分光反射率を取得し、プリンターの階調特性を補正するためのブラック用ガンマ補正テーブルを生成するプリンター専用機は、測定デバイスから取得した全ての波長の範囲の分光反射率のうち特定の一部の波長の範囲の分光反射率に基づいてブラック用ガンマ補正テーブルを生成する（Ｓ１２１〜Ｓ１２８）ことを特徴とする。【選択図】  図５
2015207820.tif 000002
【特許請求の範囲】
【請求項１】
色の複数の階調のパッチを含むチャートを印刷する印刷デバイスと、
前記印刷デバイスによって印刷された前記チャートにおける前記パッチに対して測定デバイスによって測定された分光反射率を取得する分光反射率取得手段と、
前記印刷デバイスの階調特性を補正するための階調補正用データを生成する階調補正用データ生成手段とを備え、
前記階調補正用データ生成手段は、前記分光反射率取得手段によって取得された全ての波長の範囲の前記分光反射率のうち特定の一部の波長の範囲の分光反射率に基づいて前記階調補正用データを生成することを特徴とする画像形成装置。
【請求項２】
前記特定の一部の波長の範囲は、前記全ての波長の範囲のうち少なくとも一部の範囲と比較して、色の階調の変化に対する前記分光反射率の変化が大きい範囲であることを特徴とする請求項１に記載の画像形成装置。
【請求項３】
前記特定の一部の波長の範囲は、ブラック、シアン、マゼンタおよびイエローのうち少なくとも１つと、ブラック、シアン、マゼンタおよびイエローのうち他の少なくとも１つとに対して異なることを特徴とする請求項１または請求項２に記載の画像形成装置。
【請求項４】
色の複数の階調のパッチを含み印刷デバイスによって印刷されたチャートにおける前記パッチに対して測定デバイスによって測定された分光反射率を取得する分光反射率取得手段、および、
前記印刷デバイスの階調特性を補正するための階調補正用データを生成する階調補正用データ生成手段として電子機器を機能させ、
前記階調補正用データ生成手段は、前記分光反射率取得手段によって取得された全ての波長の範囲の前記分光反射率のうち特定の一部の波長の範囲の分光反射率に基づいて前記階調補正用データを生成することを特徴とするキャリブレーションプログラム。
【発明の詳細な説明】
【技術分野】
【０００１】
本発明は、印刷デバイスの階調特性を補正する画像形成装置およびキャリブレーションプログラムに関する。
【背景技術】
【０００２】
従来、プリンター専用機、ＭＦＰ（Ｍｕｌｔｉｆｕｎｃｔｉｏｎ  Ｐｅｒｉｐｈｅｒａｌ）などの画像形成装置の印刷デバイスの経年変化などの原因による入出力特性の補正、所謂、ガンマ補正を行うキャリブレーションの方法として、パッチチャートに含まれるパッチの分光反射率を測定し、測定した分光反射率と、理想的な分光反射率との差分の積分和を利用して補正値を求める方法が知られている（例えば、特許文献１参照。）。
【先行技術文献】
【特許文献】
【０００３】
【特許文献１】特開２００９−３０２９６２号公報
【発明の概要】
【発明が解決しようとする課題】
【０００４】
しかしながら、従来のキャリブレーションの方法においては、全ての波長の範囲の分光反射率に基づいて補正値を求めるので、補正値を求めるためにＲＡＭ（Ｒａｎｄｏｍ  Ａｃｃｅｓｓ  Ｍｅｍｏｒｙ）において必要な使用量など、補正値を求めるために必要な負担が大きいという問題がある。
【０００５】
そこで、本発明は、印刷デバイスの階調特性を補正するための階調補正用データを生成する負担を低減することができる画像形成装置およびキャリブレーションプログラムを提供することを目的とする。
【課題を解決するための手段】
【０００６】
本発明の画像形成装置は、色の複数の階調のパッチを含むチャートを印刷する印刷デバイスと、前記印刷デバイスによって印刷された前記チャートにおける前記パッチに対して測定デバイスによって測定された分光反射率を取得する分光反射率取得手段と、前記印刷デバイスの階調特性を補正するための階調補正用データを生成する階調補正用データ生成手段とを備え、前記階調補正用データ生成手段は、前記分光反射率取得手段によって取得された全ての波長の範囲の前記分光反射率のうち特定の一部の波長の範囲の分光反射率に基づいて前記階調補正用データを生成することを特徴とする。
【０００７】
この構成により、本発明の画像形成装置は、測定デバイスによって測定された全ての波長の範囲のうち階調補正用データの生成に適した特定の一部の波長の範囲の分光反射率に基づいて階調補正用データを生成することができるので、階調補正用データを生成する負担を低減することができる。
【０００８】
また、本発明の画像形成装置において、前記特定の一部の波長の範囲は、前記全ての波長の範囲のうち少なくとも一部の範囲と比較して、色の階調の変化に対する前記分光反射率の変化が大きい範囲であっても良い。
【０００９】
この構成により、本発明の画像形成装置は、色の階調の変化に対する分光反射率の変化が大きい波長の範囲の分光反射率に基づいて階調補正用データを生成することができるので、階調補正用データの生成の負担を低減しながらも、適切な階調補正用データを生成することができる。
【００１０】
また、本発明の画像形成装置において、前記特定の一部の波長の範囲は、ブラック、シアン、マゼンタおよびイエローのうち少なくとも１つと、ブラック、シアン、マゼンタおよびイエローのうち他の少なくとも１つとに対して異なっても良い。
【００１１】
この構成により、本発明の画像形成装置は、測定デバイスによって測定された全ての波長の範囲のうちブラック、シアン、マゼンタおよびイエローのそれぞれに適した特定の一部の波長の範囲の分光反射率に基づいて階調補正用データを生成することができるので、階調補正用データの生成の負担を低減しながらも、適切な階調補正用データを生成することができる。
【００１２】
本発明のキャリブレーションプログラムは、色の複数の階調のパッチを含み印刷デバイスによって印刷されたチャートにおける前記パッチに対して測定デバイスによって測定された分光反射率を取得する分光反射率取得手段、および、前記印刷デバイスの階調特性を補正するための階調補正用データを生成する階調補正用データ生成手段として電子機器を機能させ、前記階調補正用データ生成手段は、前記分光反射率取得手段によって取得された全ての波長の範囲の前記分光反射率のうち特定の一部の波長の範囲の分光反射率に基づいて前記階調補正用データを生成することを特徴とする。
【００１３】
この構成により、本発明のキャリブレーションプログラムは、測定デバイスによって測定された全ての波長の範囲のうち階調補正用データの生成に適した特定の一部の波長の範囲の分光反射率に基づいて階調補正用データを生成することができるので、階調補正用データを生成する負担を低減することができる。
【発明の効果】
【００１４】
本発明の画像形成装置およびキャリブレーションプログラムは、印刷デバイスの階調特性を補正するための階調補正用データを生成する負担を低減することができる。
【図面の簡単な説明】
【００１５】
【図１】本発明の一実施の形態に係るキャリブレーションシステムの構成を示すブロック図である。
【図２】図１に示すプリンター専用機の構成を示すブロック図である。
【図３】キャリブレーションを実行する場合の図２に示すプリンター専用機の動作のフローチャートである。
【図４】図３に示すガンマ補正テーブル生成処理のフローチャートである。
【図５】図４に示すブラック用ガンマ補正テーブル生成処理のフローチャートである。
【図６】（ａ）は、図４に示す処理において平均化されたブラックの分光反射率のうち１６階調分の分光反射率を示す図である。  （ｂ）は、図５に示す処理において生成される分光反射率データＳ（Ｂｋ，λ）を示す図である。
【図７】図２に示すプリンターにおけるブラックの目標とする階調特性の一例を示す図である。
【図８】（ａ）は、図５に示す処理において生成されるＳａ（Ｂｋ，５２０ｎｍ）を示す図である。  （ｂ）は、図５に示す処理において生成されるＳｂ（Ｂｋ，５２０ｎｍ）を示す図である。
【図９】（ａ）は、図５に示す処理において生成されるＴ（Ｂｋ，５２０ｎｍ）を示す図である。  （ｂ）は、図５に示す処理において生成されるｃｅｎｔｒａｌ（Ｂｋ）を示す図である。
【図１０】図４に示すシアン用ガンマ補正テーブル生成処理のフローチャートである。
【図１１】（ａ）は、図４に示す処理において平均化されたシアンの分光反射率のうち１６階調分の分光反射率を示す図である。  （ｂ）は、図１０に示す処理において生成される分光反射率データＳ（Ｃｙ，λ）を示す図である。
【図１２】図１０に示す処理において生成されるｃｅｎｔｒａｌ（Ｃｙ）を示す図である。
【図１３】図４に示すマゼンタ用ガンマ補正テーブル生成処理のフローチャートである。
【図１４】（ａ）は、図４に示す処理において平均化されたマゼンタの分光反射率のうち１６階調分の分光反射率を示す図である。  （ｂ）は、図１３に示す処理において生成される分光反射率データＳ（Ｍｇ，λ）を示す図である。
【図１５】図１３に示す処理において生成されるｃｅｎｔｒａｌ（Ｍｇ）を示す図である。
【図１６】図４に示すイエロー用ガンマ補正テーブル生成処理のフローチャートである。
【図１７】（ａ）は、図４に示す処理において平均化されたイエローの分光反射率のうち１６階調分の分光反射率を示す図である。  （ｂ）は、図１６に示す処理において生成される分光反射率データＳ（Ｙｅ，λ）を示す図である。
【図１８】図１６に示す処理において生成されるｃｅｎｔｒａｌ（Ｙｅ）を示す図である。
【発明を実施するための形態】
【００１６】
以下、本発明の一実施の形態について、図面を用いて説明する。
【００１７】
まず、本実施の形態に係るキャリブレーションシステムの構成について説明する。
【００１８】
図１は、本実施の形態に係るキャリブレーションシステム１０の構成を示すブロック図である。
【００１９】
図１に示すように、キャリブレーションシステム１０は、色の複数の階調のパッチを含むチャートにおけるパッチ毎の分光反射率を測定する測定デバイス２０と、画像形成装置としてのプリンター専用機３０とを備えている。測定デバイス２０と、プリンター専用機３０とは、互いに通信可能に構成されている。ここで、測定デバイス２０と、プリンター専用機３０とは、ＬＡＮ（Ｌｏｃａｌ  Ａｒｅａ  Ｎｅｔｗｏｒｋ）、インターネットなどのネットワーク経由で互いに通信可能であっても良いし、ネットワークを経由せずにＵＳＢ（Ｕｎｉｖｅｒｓａｌ  Ｓｅｒｉａｌ  Ｂｕｓ）ケーブルなどの通信ケーブル経由で互いに直接通信可能であっても良い。
【００２０】
測定デバイス２０は、例えば３８０ｎｍ〜７３０ｎｍの波長域の分光反射率を測定することが可能である。
【００２１】
図２は、本実施の形態に係るプリンター専用機３０の構成を示すブロック図である。
【００２２】
図２に示すように、プリンター専用機３０は、種々の操作が入力されるボタンなどの入力デバイスである操作部３１と、種々の情報を表示するＬＣＤ（Ｌｉｑｕｉｄ  Ｃｒｙｓｔａｌ  Ｄｉｓｐｌａｙ）などの表示デバイスである表示部３２と、用紙などの記録媒体に印刷を実行する印刷デバイスであるプリンター３３と、測定デバイス２０（図１参照。）、ＰＣ（Ｐｅｒｓｏｎａｌ  Ｃｏｍｐｕｔｅｒ）などの外部の装置と通信を行う通信デバイスである通信部３４と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性の記憶デバイスである記憶部３５と、プリンター専用機３０全体を制御する制御部３６とを備えている。
【００２３】
記憶部３５は、プリンター３３の階調特性を補正するためのキャリブレーションプログラム３５ａを記憶している。キャリブレーションプログラム３５ａは、プリンター専用機３０の製造段階でプリンター専用機３０にインストールされていても良いし、ＳＤカード、ＵＳＢ（Ｕｎｉｖｅｒｓａｌ  Ｓｅｒｉａｌ  Ｂｕｓ）メモリーなどの記憶媒体からプリンター専用機３０に追加でインストールされても良いし、ネットワーク上からプリンター専用機３０に追加でインストールされても良い。
【００２４】
記憶部３５は、ブラックに関してプリンター３３の階調特性を補正するための階調補正用データとしてのブラック用ガンマ補正テーブル３５ｂと、シアンに関してプリンター３３の階調特性を補正するための階調補正用データとしてのシアン用ガンマ補正テーブル３５ｃと、マゼンタに関してプリンター３３の階調特性を補正するための階調補正用データとしてのマゼンタ用ガンマ補正テーブル３５ｄと、イエローに関してプリンター３３の階調特性を補正するための階調補正用データとしてのイエロー用ガンマ補正テーブル３５ｅとを記憶することが可能である。
【００２５】
記憶部３５は、ブラック用ガンマ補正テーブル３５ｂの生成に使用されるブラック用係数３５ｆと、シアン用ガンマ補正テーブル３５ｃの生成に使用されるシアン用係数３５ｇと、マゼンタ用ガンマ補正テーブル３５ｄの生成に使用されるマゼンタ用係数３５ｈと、イエロー用ガンマ補正テーブル３５ｅの生成に使用されるイエロー用係数３５ｉとを記憶している。
【００２６】
制御部３６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３５に記憶されているプログラムを実行する。
【００２７】
制御部３６は、記憶部３５に記憶されているキャリブレーションプログラム３５ａを実行することによって、色の複数の階調のパッチを含みプリンター３３によって印刷されたチャートにおけるパッチに対して測定デバイス２０（図１参照。）によって測定された分光反射率を取得する分光反射率取得手段３６ａ、および、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成する階調補正用データ生成手段３６ｂとして機能する。
【００２８】
次に、ブラック用係数３５ｆの算出方法について説明する。
【００２９】
ブラック用ガンマ補正テーブル３５ｂを生成する場合に、ブラック用ガンマ補正テーブル３５ｂを生成するための値のレンジ幅（最小の階調の色度値と、最大の階調の色度値との差）が大きいほど、後述のように正規化するときの誤差が小さくなる。したがって、ブラックは、ＸＹＺ表色系において変化（レンジ幅）が大きいＹ値に注目すべきである。ここで、Ｙ値は、測定デバイス２０によって測定されたブラックの分光反射率と、ＸＹＺ表色系における等色関数ｙ（λ）と、測定デバイス２０の光源の分光分布Ｒ（λ）とに基づいて求められる。そして、Ｙ値は、測定デバイス２０によって測定されたブラックの分光反射率と、等色関数ｙ（λ）と、分光分布Ｒ（λ）とのうち、等色関数ｙ（λ）の影響を大きく受ける。そのため、ブラックは、等色関数ｙ（λ）が大きい、すなわち、Ｙ値の変化が大きい５２０ｎｍ〜５８０ｎｍの波長の範囲に注目すべきである。
【００３０】
したがって、ブラック用係数３５ｆとしての係数ｒｅｖ（Ｂｋ，λ）は、ＸＹＺ表色系における等色関数ｙ（λ）と、測定デバイス２０の光源の分光分布Ｒ（λ）とに基づいて、数１に示すように表される。ここで、λおよびλａは、波長を表している。なお、数１において、λおよびλａは、５２０ｎｍ〜５８０ｎｍである。すなわち、ブラック用係数３５ｆは、等色関数ｙ（λ）と、分光分布Ｒ（λ）とを掛け合わせた値が、レンジが０〜１になるように変換されたものである。
【数１】
2015207820.tif 000003
【００３１】
実際には、ブラック用係数３５ｆは、ブラック用ガンマ補正テーブル３５ｂの生成に使用する波長に応じたもののみ記憶部３５に記憶されていれば良い。例えば、ブラック用係数３５ｆは、λが５２０ｎｍ、５３０ｎｍ、５４０ｎｍ、５５０ｎｍ、５６０ｎｍ、５７０ｎｍ、５８０ｎｍである７種類のみ記憶部３５に記憶されていれば良い。
【００３２】
次に、シアン用係数３５ｇの算出方法について説明する。
【００３３】
シアン用ガンマ補正テーブル３５ｃを生成する場合に、シアン用ガンマ補正テーブル３５ｃを生成するための値のレンジ幅（最小の階調の色度値と、最大の階調の色度値との差）が大きいほど、後述のように正規化するときの誤差が小さくなる。したがって、シアンは、ＸＹＺ表色系において変化（レンジ幅）が大きいＸ値に注目すべきである。ここで、Ｘ値は、測定デバイス２０によって測定されたシアンの分光反射率と、ＸＹＺ表色系における等色関数ｘ（λ）と、測定デバイス２０の光源の分光分布Ｒ（λ）とに基づいて求められる。そして、Ｘ値は、測定デバイス２０によって測定されたシアンの分光反射率と、等色関数ｘ（λ）と、分光分布Ｒ（λ）とのうち、等色関数ｘ（λ）の影響を大きく受ける。そのため、シアンは、等色関数ｘ（λ）が大きい、すなわち、Ｘ値の変化が大きい５７０ｎｍ〜６３０ｎｍの波長の範囲に注目すべきである。
【００３４】
したがって、シアン用係数３５ｇとしての係数ｒｅｖ（Ｃｙ，λ）は、ＸＹＺ表色系における等色関数ｘ（λ）と、分光分布Ｒ（λ）とに基づいて、数２に示すように表される。なお、数２において、λおよびλａは、５７０ｎｍ〜６３０ｎｍである。すなわち、シアン用係数３５ｇは、等色関数ｘ（λ）と、分光分布Ｒ（λ）とを掛け合わせた値が、レンジが０〜１になるように変換されたものである。
【数２】
2015207820.tif 000004
【００３５】
実際には、シアン用係数３５ｇは、シアン用ガンマ補正テーブル３５ｃの生成に使用する波長に応じたもののみ記憶部３５に記憶されていれば良い。例えば、シアン用係数３５ｇは、λが５７０ｎｍ、５８０ｎｍ、５９０ｎｍ、６００ｎｍ、６１０ｎｍ、６２０ｎｍ、６３０ｎｍである７種類のみ記憶部３５に記憶されていれば良い。
【００３６】
次に、マゼンタ用係数３５ｈの算出方法について説明する。
【００３７】
マゼンタ用ガンマ補正テーブル３５ｄを生成する場合に、マゼンタ用ガンマ補正テーブル３５ｄを生成するための値のレンジ幅（最小の階調の色度値と、最大の階調の色度値との差）が大きいほど、後述のように正規化するときの誤差が小さくなる。したがって、マゼンタは、ＸＹＺ表色系において変化（レンジ幅）が大きいＹ値に注目すべきである。ここで、Ｙ値は、測定デバイス２０によって測定されたマゼンタの分光反射率と、ＸＹＺ表色系における等色関数ｙ（λ）と、測定デバイス２０の光源の分光分布Ｒ（λ）とに基づいて求められる。そして、Ｙ値は、測定デバイス２０によって測定されたマゼンタの分光反射率と、等色関数ｙ（λ）と、分光分布Ｒ（λ）とのうち、等色関数ｙ（λ）の影響を大きく受ける。そのため、マゼンタは、等色関数ｙ（λ）が大きい、すなわち、Ｙ値の変化が大きい５２０ｎｍ〜５８０ｎｍの波長の範囲に注目すべきである。
【００３８】
したがって、マゼンタ用係数３５ｈとしての係数ｒｅｖ（Ｍｇ，λ）は、等色関数ｙ（λ）と、分光分布Ｒ（λ）とに基づいて、数３に示すように表される。なお、数３において、λおよびλａは、５２０ｎｍ〜５８０ｎｍである。すなわち、マゼンタ用係数３５ｈは、ブラック用係数３５ｆと同様に、等色関数ｙ（λ）と、分光分布Ｒ（λ）とを掛け合わせた値が、レンジが０〜１になるように変換されたものである。
【数３】
2015207820.tif 000005
【００３９】
実際には、マゼンタ用係数３５ｈは、マゼンタ用ガンマ補正テーブル３５ｄの生成に使用する波長に応じたもののみ記憶部３５に記憶されていれば良い。例えば、マゼンタ用係数３５ｈは、λが５２０ｎｍ、５３０ｎｍ、５４０ｎｍ、５５０ｎｍ、５６０ｎｍ、５７０ｎｍ、５８０ｎｍである７種類のみ記憶部３５に記憶されていれば良い。
【００４０】
次に、イエロー用係数３５ｉの算出方法について説明する。
【００４１】
イエロー用ガンマ補正テーブル３５ｅを生成する場合に、イエロー用ガンマ補正テーブル３５ｅを生成するための値のレンジ幅（最小の階調の色度値と、最大の階調の色度値との差）が大きいほど、後述のように正規化するときの誤差が小さくなる。したがって、イエローは、ＸＹＺ表色系において変化（レンジ幅）が大きいＺ値に注目すべきである。ここで、Ｚ値は、測定デバイス２０によって測定されたイエローの分光反射率と、ＸＹＺ表色系における等色関数ｚ（λ）と、測定デバイス２０の光源の分光分布Ｒ（λ）とに基づいて求められる。そして、Ｚ値は、測定デバイス２０によって測定されたイエローの分光反射率と、等色関数ｚ（λ）と、分光分布Ｒ（λ）とのうち、等色関数ｚ（λ）の影響を大きく受ける。そのため、イエローは、等色関数ｚ（λ）が大きい、すなわち、Ｚ値の変化が大きい４２０ｎｍ〜４８０ｎｍの波長の範囲に注目すべきである。
【００４２】
したがって、イエロー用係数３５ｉとしての係数ｒｅｖ（Ｙｅ，λ）は、ＸＹＺ表色系における等色関数ｚ（λ）と、分光分布Ｒ（λ）とに基づいて、数４に示すように表される。なお、数４において、λおよびλａは、４２０ｎｍ〜４８０ｎｍである。すなわち、イエロー用係数３５ｉは、等色関数ｚ（λ）と、分光分布Ｒ（λ）とを掛け合わせた値が、レンジが０〜１になるように変換されたものである。
【数４】
2015207820.tif 000006
【００４３】
実際には、イエロー用係数３５ｉは、イエロー用ガンマ補正テーブル３５ｅの生成に使用する波長に応じたもののみ記憶部３５に記憶されていれば良い。例えば、イエロー用係数３５ｉは、λが４２０ｎｍ、４３０ｎｍ、４４０ｎｍ、４５０ｎｍ、４６０ｎｍ、４７０ｎｍ、４８０ｎｍである７種類のみ記憶部３５に記憶されていれば良い。
【００４４】
次に、本実施の形態に係るキャリブレーションの方法について説明する。
【００４５】
まず、プリンター専用機３０の制御部３６は、操作部３１または通信部３４を介して受け付けた指示に応じて、記憶部３５に記憶されているキャリブレーションプログラム３５ａを実行することによって、チャートをプリンター３３によって記憶媒体に印刷する。
【００４６】
ここで、チャートは、ブラック、シアン、マゼンタおよびイエローのそれぞれについて、数階調のパッチで構成されている。以下、チャートは、ブラック、シアン、マゼンタおよびイエローのそれぞれについて、６４階調のパッチで構成されているものとする。すなわち、プリンター３３がブラック、シアン、マゼンタおよびイエローのそれぞれについて例えば０〜２５５の階調値で示される２５６階調で印刷することができる場合、チャートは、均等な間隔の階調値、例えば３、７、１１、・・・、２５１、２５５の階調値で示される６４階調のパッチで構成されているものとする。ここで、階調値が大きいほど濃度が濃いものとする。
【００４７】
また、チャートは、ブラック、シアン、マゼンタおよびイエローのそれぞれについて、階調毎に複数個のパッチを含んでいて、乱数で選択された位置、すなわち、ランダムな位置にパッチが配置されている。チャートには、プリンター３３による印刷や、測定デバイス２０による測定などの様々な影響によって、例えば、チャート内で端に位置するパッチが理想的な状態よりも暗くなったりするなどの面内ムラが生じる。しかしながら、チャートは、ブラック、シアン、マゼンタおよびイエローのそれぞれについて、階調毎に複数個のパッチを含んでいて、ランダムな位置にパッチが配置されているので、測定デバイス２０によって測定される分光反射率がそれぞれの色の階調毎に平均化されることによって、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅの生成に対して面内ムラなどの影響を受け難くすることができる。以下、チャートは、ブラック、シアン、マゼンタおよびイエローのそれぞれについて、階調毎に４個のパッチを含んでいるものとする。すなわち、チャートは、ブラック、シアン、マゼンタおよびイエローのそれぞれについて６４階調分であって、各階調に４個ずつ、すなわち、合計１０２４個のパッチがランダムに配置されているものである。
【００４８】
次いで、制御部３６は、操作部３１または通信部３４を介して受け付けた指示に応じて、記憶部３５に記憶されているキャリブレーションプログラム３５ａを実行することによって、図３に示す動作を実行する。
【００４９】
図３は、キャリブレーションを実行する場合のプリンター専用機３０の動作のフローチャートである。
【００５０】
図３に示すように、制御部３６の分光反射率取得手段３６ａは、プリンター３３によって記憶媒体に印刷されたチャートのパッチ毎の分光反射率を測定デバイス２０に測定させた後（Ｓ１０１）、Ｓ１０１において測定された分光反射率をブラック、シアン、マゼンタおよびイエローのそれぞれについて階調毎に取得する（Ｓ１０２）。ここで、分光反射率取得手段３６ａは、チャートが生成された時にランダムに生成されたパッチの配置の情報を利用することによって、ブラック、シアン、マゼンタおよびイエローの何れの色の何れの階調のパッチの分光反射率であるかを識別して測定デバイス２０から取得することができる。Ｓ１０２の処理によって、ブラック、シアン、マゼンタおよびイエローのそれぞれについて６４階調分であって、各階調に４個ずつ、すなわち、合計１０２４個の分光反射率が取得される。
【００５１】
制御部３６の階調補正用データ生成手段３６ｂは、Ｓ１０２の処理の後、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成するガンマ補正テーブル生成処理を実行する（Ｓ１０３）。
【００５２】
図４は、図３に示すガンマ補正テーブル生成処理のフローチャートである。
【００５３】
図４に示すように、階調補正用データ生成手段３６ｂは、Ｓ１０２において取得された分光反射率を、ブラック、シアン、マゼンタおよびイエローのそれぞれについて階調毎に、すなわち、色値毎に、平均化する（Ｓ１１１）。Ｓ１１１の処理によって、ブラック、シアン、マゼンタおよびイエローのそれぞれについて６４階調分、すなわち、合計２５６個の分光反射率が生成される。
【００５４】
次いで、階調補正用データ生成手段３６ｂは、ブラック用ガンマ補正テーブル３５ｂを生成するブラック用ガンマ補正テーブル生成処理を実行する（Ｓ１１２）。
【００５５】
図５は、図４に示すブラック用ガンマ補正テーブル生成処理のフローチャートである。
【００５６】
図５に示すように、階調補正用データ生成手段３６ｂは、上述した５２０ｎｍ〜５８０ｎｍの波長の範囲においてブラック用ガンマ補正テーブル３５ｂの生成に使用する波長５２０ｎｍ、５３０ｎｍ、５４０ｎｍ、５５０ｎｍ、５６０ｎｍ、５７０ｎｍ、５８０ｎｍのうち、未だ対象にしていない波長を対象にする（Ｓ１２１）。
【００５７】
図６（ａ）は、Ｓ１１１において平均化されたブラックの分光反射率のうち１６階調分の分光反射率を示す図である。
【００５８】
Ｓ１１１において平均化されたブラックの分光反射率は、６４階調分であるが、図６（ａ）においては、視認性を向上するために、６４階調分の分光反射率のうち、１５、３１、４７、６３、７９、９５、１１１、１２７、１４３、１５９、１７５、１９１、２０７、２２３、２３９、２５５の階調値で示される１６階調分の分光反射率のみを示している。図６（ａ）においては、階調値が大きい分光反射率ほど濃度が濃い線で表している。
【００５９】
図６（ａ）に示すように、５２０ｎｍ〜５８０ｎｍの波長の範囲は、例えば３８０ｎｍの波長の近傍の範囲と比較して、ブラックの階調の変化に対する分光反射率の変化が大きい範囲である。
【００６０】
階調補正用データ生成手段３６ｂは、Ｓ１２１の処理の後、Ｓ１１１において平均化されたブラックの分光反射率において、現在の対象の波長について、階調値に対する分光反射率を示す分光反射率データＳ（Ｂｋ，λ）を生成する（Ｓ１２２）。
【００６１】
図６（ｂ）は、Ｓ１２２において生成される分光反射率データＳ（Ｂｋ，λ）を示す図である。
【００６２】
図６（ｂ）には、分光反射率データＳ（Ｂｋ，５２０ｎｍ）、分光反射率データＳ（Ｂｋ，５３０ｎｍ）、分光反射率データＳ（Ｂｋ，５４０ｎｍ）、分光反射率データＳ（Ｂｋ，５５０ｎｍ）、分光反射率データＳ（Ｂｋ，５６０ｎｍ）、分光反射率データＳ（Ｂｋ，５７０ｎｍ）、分光反射率データＳ（Ｂｋ，５８０ｎｍ）が示されている。図６（ｂ）に示すグラフは、連続する線として描かれているが、実際には、処理に使用されている６４階調分の点の集合になる。
【００６３】
図７は、プリンター３３におけるブラックの目標とする階調特性の一例を示す図である。
【００６４】
本実施の形態において、プリンター３３におけるブラックの階調特性は、図７に示す線形の階調特性とすることを理想とする。
【００６５】
図５に示すように、階調補正用データ生成手段３６ｂは、Ｓ１２２の処理の後、数５に示すように、分光反射率データＳ（Ｂｋ，λ）をレンジが０〜２５５になるように正規化する（Ｓ１２３）。ここで、数５において、ｒｅｆ（Ｂｋ，ｍａｘ）は、図７に示す階調特性における最大の分光反射率を示している。また、ｒｅｆ（Ｂｋ，ｍｉｎ）は、図７に示す階調特性における最小の分光反射率を示している。
【数５】
2015207820.tif 000007
【００６６】
図８（ａ）は、Ｓ１２３において生成されるＳａ（Ｂｋ，５２０ｎｍ）を示す図である。
【００６７】
図６（ｂ）に示すＳ（Ｂｋ，５２０ｎｍ）は、Ｓ１２３の処理によって、図８（ａ）に示すＳａ（Ｂｋ，５２０ｎｍ）に変換される。
【００６８】
図５に示すように、階調補正用データ生成手段３６ｂは、Ｓ１２３の処理の後、Ｓ１２３において求めたＳａ（Ｂｋ，λ）を、数６に示すように、ｘ軸に対して反転し、ｙ軸方向の最小値が“０”になるようにｙ軸方向に平行移動する（Ｓ１２４）。
【数６】
2015207820.tif 000008
【００６９】
図８（ｂ）は、Ｓ１２４において生成されるＳｂ（Ｂｋ，５２０ｎｍ）を示す図である。
【００７０】
図８（ａ）に示すＳａ（Ｂｋ，５２０ｎｍ）は、Ｓ１２４の処理によって、図８（ｂ）に示すＳｂ（Ｂｋ，５２０ｎｍ）に変換される。
【００７１】
図５に示すように、階調補正用データ生成手段３６ｂは、Ｓ１２４の処理の後、Ｓ１２４において求めたＳｂ（Ｂｋ，λ）を、数７に示すように、「ｙ＝ｘ」の直線に対して反転する（Ｓ１２５）。
【数７】
2015207820.tif 000009
【００７２】
図９（ａ）は、Ｓ１２５において生成されるＴ（Ｂｋ，５２０ｎｍ）を示す図である。
【００７３】
図８（ｂ）に示すＳｂ（Ｂｋ，５２０ｎｍ）は、Ｓ１２５の処理によって、図９（ａ）に示すＴ（Ｂｋ，５２０ｎｍ）に変換される。
【００７４】
図５に示すように、階調補正用データ生成手段３６ｂは、Ｓ１２５の処理の後、波長５２０ｎｍ、５３０ｎｍ、５４０ｎｍ、５５０ｎｍ、５６０ｎｍ、５７０ｎｍ、５８０ｎｍのうち、未だ対象にしていない波長が存在するか否かを判断する（Ｓ１２６）。
【００７５】
階調補正用データ生成手段３６ｂは、未だ対象にしていない波長が存在するとＳ１２６において判断すると、Ｓ１２１の処理を実行する。
【００７６】
階調補正用データ生成手段３６ｂは、未だ対象にしていない波長が存在しないとＳ１２６において判断すると、数８に示すように、Ｓ１２５において求めたＴ（Ｂｋ，λ）と、記憶部３５に記憶されているブラック用係数３５ｆとを波長毎に掛け合わせた後、平均を求めることによって、ブラックの代表値ｃｅｎｔｒａｌ（Ｂｋ）を求める（Ｓ１２７）。
【数８】
2015207820.tif 000010
【００７７】
図９（ｂ）は、Ｓ１２７において生成されるｃｅｎｔｒａｌ（Ｂｋ）を示す図である。
【００７８】
Ｓ１２７の処理によって生成されるｃｅｎｔｒａｌ（Ｂｋ）は、図９（ｂ）に示すように、入力階調値に対する出力階調値を示す６４階調の代表値によって構成されている。
【００７９】
図５に示すように、階調補正用データ生成手段３６ｂは、Ｓ１２７の処理の後、ｃｅｎｔｒａｌ（Ｂｋ）の６４点の代表値を２５６点に増やすことによって、ブラック用ガンマ補正テーブル３５ｂを生成する（Ｓ１２８）。ここで、６４点の代表値を２５６点に増やす方法としては、例えば、１次近似、２次近似、スプライン補間など、様々な方法が採用されることが可能である。
【００８０】
階調補正用データ生成手段３６ｂは、Ｓ１２８の処理の後、Ｓ１２８において生成したブラック用ガンマ補正テーブル３５ｂを記憶部３５に記憶させて（Ｓ１２９）、図５に示すブラック用ガンマ補正テーブル生成処理を終了する。
【００８１】
図４に示すように、階調補正用データ生成手段３６ｂは、Ｓ１１２のブラック用ガンマ補正テーブル生成処理が終了すると、シアン用ガンマ補正テーブル３５ｃを生成するシアン用ガンマ補正テーブル生成処理を実行する（Ｓ１１３）。
【００８２】
図１０は、図４に示すシアン用ガンマ補正テーブル生成処理のフローチャートである。
【００８３】
図１０に示すように、階調補正用データ生成手段３６ｂは、上述した５７０ｎｍ〜６３０ｎｍの波長の範囲においてシアン用ガンマ補正テーブル３５ｃの生成に使用する波長５７０ｎｍ、５８０ｎｍ、５９０ｎｍ、６００ｎｍ、６１０ｎｍ、６２０ｎｍ、６３０ｎｍのうち、未だ対象にしていない波長を対象にする（Ｓ１３１）。
【００８４】
図１１（ａ）は、Ｓ１１１において平均化されたシアンの分光反射率のうち１６階調分の分光反射率を示す図である。
【００８５】
Ｓ１１１において平均化されたシアンの分光反射率は、６４階調分であるが、図１１（ａ）においては、視認性を向上するために、６４階調分の分光反射率のうち、１５、３１、４７、６３、７９、９５、１１１、１２７、１４３、１５９、１７５、１９１、２０７、２２３、２３９、２５５の階調値で示される１６階調分の分光反射率のみを示している。図１１（ａ）においては、階調値が大きい分光反射率ほど濃度が濃い線で表している。
【００８６】
図１１（ａ）に示すように、５７０ｎｍ〜６３０ｎｍの波長の範囲は、例えば３８０ｎｍ〜５４０ｎｍの波長の範囲と比較して、シアンの階調の変化に対する分光反射率の変化が大きい範囲である。
【００８７】
階調補正用データ生成手段３６ｂは、Ｓ１３１の処理の後、Ｓ１１１において平均化されたシアンの分光反射率において、現在の対象の波長について、階調値に対する分光反射率を示す分光反射率データＳ（Ｃｙ，λ）を生成する（Ｓ１３２）。
【００８８】
図１１（ｂ）は、Ｓ１３２において生成される分光反射率データＳ（Ｃｙ，λ）を示す図である。
【００８９】
図１１（ｂ）には、分光反射率データＳ（Ｃｙ，５７０ｎｍ）、分光反射率データＳ（Ｃｙ，５８０ｎｍ）、分光反射率データＳ（Ｃｙ，５９０ｎｍ）、分光反射率データＳ（Ｃｙ，６００ｎｍ）、分光反射率データＳ（Ｃｙ，６１０ｎｍ）、分光反射率データＳ（Ｃｙ，６２０ｎｍ）、分光反射率データＳ（Ｃｙ，６３０ｎｍ）が示されている。図１１（ｂ）に示すグラフは、連続する線として描かれているが、実際には、処理に使用されている６４階調分の点の集合になる。
【００９０】
図１０に示すように、階調補正用データ生成手段３６ｂは、Ｓ１３２の処理の後、プリンター３３におけるシアンの目標とする階調特性における最大の分光反射率ｒｅｆ（Ｃｙ，ｍａｘ）および最小の分光反射率ｒｅｆ（Ｃｙ，ｍｉｎ）を用いて、Ｓ１２３の処理と同様に、Ｓ１３３の処理を実行する。
【００９１】
次いで、階調補正用データ生成手段３６ｂは、Ｓ１２４およびＳ１２５の処理と同様に、Ｓ１３４およびＳ１３５の処理を実行する。
【００９２】
階調補正用データ生成手段３６ｂは、Ｓ１３５の処理の後、波長５７０ｎｍ、５８０ｎｍ、５９０ｎｍ、６００ｎｍ、６１０ｎｍ、６２０ｎｍ、６３０ｎｍのうち、未だ対象にしていない波長が存在するか否かを判断する（Ｓ１３６）。
【００９３】
階調補正用データ生成手段３６ｂは、未だ対象にしていない波長が存在するとＳ１３６において判断すると、Ｓ１３１の処理を実行する。
【００９４】
階調補正用データ生成手段３６ｂは、未だ対象にしていない波長が存在しないとＳ１３６において判断すると、Ｓ１２７の処理と同様に、Ｓ１３５において求めたＴ（Ｃｙ，λ）と、記憶部３５に記憶されているシアン用係数３５ｇとを波長毎に掛け合わせた後、平均を求めることによって、シアンの代表値ｃｅｎｔｒａｌ（Ｃｙ）を求める（Ｓ１３７）。
【００９５】
図１２は、Ｓ１３７において生成されるｃｅｎｔｒａｌ（Ｃｙ）を示す図である。
【００９６】
Ｓ１３７の処理によって生成されるｃｅｎｔｒａｌ（Ｃｙ）は、図１２に示すように、入力階調値に対する出力階調値を示す６４階調の代表値によって構成されている。
【００９７】
図１０に示すように、階調補正用データ生成手段３６ｂは、Ｓ１３７の処理の後、Ｓ１２８の処理と同様に、ｃｅｎｔｒａｌ（Ｃｙ）の６４点の代表値を２５６点に増やすことによって、シアン用ガンマ補正テーブル３５ｃを生成する（Ｓ１３８）。
【００９８】
階調補正用データ生成手段３６ｂは、Ｓ１３８の処理の後、Ｓ１３８において生成したシアン用ガンマ補正テーブル３５ｃを記憶部３５に記憶させて（Ｓ１３９）、図１０に示すシアン用ガンマ補正テーブル生成処理を終了する。
【００９９】
図４に示すように、階調補正用データ生成手段３６ｂは、Ｓ１１３のシアン用ガンマ補正テーブル生成処理が終了すると、マゼンタ用ガンマ補正テーブル３５ｄを生成するマゼンタ用ガンマ補正テーブル生成処理を実行する（Ｓ１１４）。
【０１００】
図１３は、図４に示すマゼンタ用ガンマ補正テーブル生成処理のフローチャートである。
【０１０１】
図１３に示すように、階調補正用データ生成手段３６ｂは、上述した５２０ｎｍ〜５８０ｎｍの波長の範囲においてマゼンタ用ガンマ補正テーブル３５ｄの生成に使用する波長５２０ｎｍ、５３０ｎｍ、５４０ｎｍ、５５０ｎｍ、５６０ｎｍ、５７０ｎｍ、５８０ｎｍのうち、未だ対象にしていない波長を対象にする（Ｓ１４１）。
【０１０２】
図１４（ａ）は、Ｓ１１１において平均化されたマゼンタの分光反射率のうち１６階調分の分光反射率を示す図である。
【０１０３】
Ｓ１１１において平均化されたマゼンタの分光反射率は、６４階調分であるが、図１４（ａ）においては、視認性を向上するために、６４階調分の分光反射率のうち、１５、３１、４７、６３、７９、９５、１１１、１２７、１４３、１５９、１７５、１９１、２０７、２２３、２３９、２５５の階調値で示される１６階調分の分光反射率のみを示している。図１４（ａ）においては、階調値が大きい分光反射率ほど濃度が濃い線で表している。
【０１０４】
図１４（ａ）に示すように、５２０ｎｍ〜５８０ｎｍの波長の範囲は、例えば３８０ｎｍ〜４６０ｎｍの波長の範囲や６２０ｎｍ〜７３０ｎｍの波長の範囲と比較して、マゼンタの階調の変化に対する分光反射率の変化が大きい範囲である。
【０１０５】
階調補正用データ生成手段３６ｂは、Ｓ１４１の処理の後、Ｓ１１１において平均化されたマゼンタの分光反射率において、現在の対象の波長について、階調値に対する分光反射率を示す分光反射率データＳ（Ｍｇ，λ）を生成する（Ｓ１４２）。
【０１０６】
図１４（ｂ）は、Ｓ１４２において生成される分光反射率データＳ（Ｍｇ，λ）を示す図である。
【０１０７】
図１４（ｂ）には、分光反射率データＳ（Ｍｇ，５２０ｎｍ）、分光反射率データＳ（Ｍｇ，５３０ｎｍ）、分光反射率データＳ（Ｍｇ，５４０ｎｍ）、分光反射率データＳ（Ｍｇ，５５０ｎｍ）、分光反射率データＳ（Ｍｇ，５６０ｎｍ）、分光反射率データＳ（Ｍｇ，５７０ｎｍ）、分光反射率データＳ（Ｍｇ，５８０ｎｍ）が示されている。図１４（ｂ）に示すグラフは、連続する線として描かれているが、実際には、処理に使用されている６４階調分の点の集合になる。
【０１０８】
図１３に示すように、階調補正用データ生成手段３６ｂは、Ｓ１４２の処理の後、プリンター３３におけるマゼンタの目標とする階調特性における最大の分光反射率ｒｅｆ（Ｍｇ，ｍａｘ）および最小の分光反射率ｒｅｆ（Ｍｇ，ｍｉｎ）を用いて、Ｓ１２３の処理と同様に、Ｓ１４３の処理を実行する。
【０１０９】
次いで、階調補正用データ生成手段３６ｂは、Ｓ１２４およびＳ１２５の処理と同様に、Ｓ１４４およびＳ１４５の処理を実行する。
【０１１０】
階調補正用データ生成手段３６ｂは、Ｓ１４５の処理の後、波長５２０ｎｍ、５３０ｎｍ、５４０ｎｍ、５５０ｎｍ、５６０ｎｍ、５７０ｎｍ、５８０ｎｍのうち、未だ対象にしていない波長が存在するか否かを判断する（Ｓ１４６）。
【０１１１】
階調補正用データ生成手段３６ｂは、未だ対象にしていない波長が存在するとＳ１４６において判断すると、Ｓ１４１の処理を実行する。
【０１１２】
階調補正用データ生成手段３６ｂは、未だ対象にしていない波長が存在しないとＳ１４６において判断すると、Ｓ１２７の処理と同様に、Ｓ１４５において求めたＴ（Ｍｇ，λ）と、記憶部３５に記憶されているマゼンタ用係数３５ｈとを波長毎に掛け合わせた後、平均を求めることによって、マゼンタの代表値ｃｅｎｔｒａｌ（Ｍｇ）を求める（Ｓ１４７）。
【０１１３】
図１５は、Ｓ１４７において生成されるｃｅｎｔｒａｌ（Ｍｇ）を示す図である。
【０１１４】
Ｓ１４７の処理によって生成されるｃｅｎｔｒａｌ（Ｍｇ）は、図１５に示すように、入力階調値に対する出力階調値を示す６４階調の代表値によって構成されている。
【０１１５】
図１３に示すように、階調補正用データ生成手段３６ｂは、Ｓ１４７の処理の後、Ｓ１２８の処理と同様に、ｃｅｎｔｒａｌ（Ｍｇ）の６４点の代表値を２５６点に増やすことによって、マゼンタ用ガンマ補正テーブル３５ｄを生成する（Ｓ１４８）。
【０１１６】
階調補正用データ生成手段３６ｂは、Ｓ１４８の処理の後、Ｓ１４８において生成したマゼンタ用ガンマ補正テーブル３５ｄを記憶部３５に記憶させて（Ｓ１４９）、図１３に示すマゼンタ用ガンマ補正テーブル生成処理を終了する。
【０１１７】
図４に示すように、階調補正用データ生成手段３６ｂは、Ｓ１１４のマゼンタ用ガンマ補正テーブル生成処理が終了すると、イエロー用ガンマ補正テーブル３５ｅを生成するイエロー用ガンマ補正テーブル生成処理を実行する（Ｓ１１５）。
【０１１８】
図１６は、図４に示すイエロー用ガンマ補正テーブル生成処理のフローチャートである。
【０１１９】
図１６に示すように、階調補正用データ生成手段３６ｂは、上述した４２０ｎｍ〜４８０ｎｍの波長の範囲においてイエロー用ガンマ補正テーブル３５ｅの生成に使用する波長４２０ｎｍ、４３０ｎｍ、４４０ｎｍ、４５０ｎｍ、４６０ｎｍ、４７０ｎｍ、４８０ｎｍのうち、未だ対象にしていない波長を対象にする（Ｓ１５１）。
【０１２０】
図１７（ａ）は、Ｓ１１１において平均化されたイエローの分光反射率のうち１６階調分の分光反射率を示す図である。
【０１２１】
Ｓ１１１において平均化されたイエローの分光反射率は、６４階調分であるが、図１７（ａ）においては、視認性を向上するために、６４階調分の分光反射率のうち、１５、３１、４７、６３、７９、９５、１１１、１２７、１４３、１５９、１７５、１９１、２０７、２２３、２３９、２５５の階調値で示される１６階調分の分光反射率のみを示している。図１７（ａ）においては、階調値が大きい分光反射率ほど濃度が濃い線で表している。
【０１２２】
図１７（ａ）に示すように、４２０ｎｍ〜４８０ｎｍの波長の範囲は、例えば５００ｎｍ〜７３０ｎｍの波長の範囲と比較して、イエローの階調の変化に対する分光反射率の変化が大きい範囲である。
【０１２３】
階調補正用データ生成手段３６ｂは、Ｓ１５１の処理の後、Ｓ１１１において平均化されたイエローの分光反射率において、現在の対象の波長について、階調値に対する分光反射率を示す分光反射率データＳ（Ｙｅ，λ）を生成する（Ｓ１５２）。
【０１２４】
図１７（ｂ）は、Ｓ１５２において生成される分光反射率データＳ（Ｙｅ，λ）を示す図である。
【０１２５】
図１７（ｂ）には、分光反射率データＳ（Ｙｅ，４２０ｎｍ）、分光反射率データＳ（Ｙｅ，４３０ｎｍ）、分光反射率データＳ（Ｙｅ，４４０ｎｍ）、分光反射率データＳ（Ｙｅ，４５０ｎｍ）、分光反射率データＳ（Ｙｅ，４６０ｎｍ）、分光反射率データＳ（Ｙｅ，４７０ｎｍ）、分光反射率データＳ（Ｙｅ，４８０ｎｍ）が示されている。図１７（ｂ）に示すグラフは、連続する線として描かれているが、実際には、処理に使用されている６４階調分の点の集合になる。
【０１２６】
図１６に示すように、階調補正用データ生成手段３６ｂは、Ｓ１５２の処理の後、プリンター３３におけるイエローの目標とする階調特性における最大の分光反射率ｒｅｆ（Ｙｅ，ｍａｘ）および最小の分光反射率ｒｅｆ（Ｙｅ，ｍｉｎ）を用いて、Ｓ１２３の処理と同様に、Ｓ１５３の処理を実行する。
【０１２７】
次いで、階調補正用データ生成手段３６ｂは、Ｓ１２４およびＳ１２５の処理と同様に、Ｓ１５４およびＳ１５５の処理を実行する。
【０１２８】
階調補正用データ生成手段３６ｂは、Ｓ１５５の処理の後、波長４２０ｎｍ、４３０ｎｍ、４４０ｎｍ、４５０ｎｍ、４６０ｎｍ、４７０ｎｍ、４８０ｎｍのうち、未だ対象にしていない波長が存在するか否かを判断する（Ｓ１５６）。
【０１２９】
階調補正用データ生成手段３６ｂは、未だ対象にしていない波長が存在するとＳ１５６において判断すると、Ｓ１５１の処理を実行する。
【０１３０】
階調補正用データ生成手段３６ｂは、未だ対象にしていない波長が存在しないとＳ１５６において判断すると、Ｓ１２７の処理と同様に、Ｓ１５５において求めたＴ（Ｙｅ，λ）と、記憶部３５に記憶されているイエロー用係数３５ｉとを波長毎に掛け合わせた後、平均を求めることによって、イエローの代表値ｃｅｎｔｒａｌ（Ｙｅ）を求める（Ｓ１５７）。
【０１３１】
図１８は、Ｓ１５７において生成されるｃｅｎｔｒａｌ（Ｙｅ）を示す図である。
【０１３２】
Ｓ１５７の処理によって生成されるｃｅｎｔｒａｌ（Ｙｅ）は、図１８に示すように、入力階調値に対する出力階調値を示す６４階調の代表値によって構成されている。
【０１３３】
図１６に示すように、階調補正用データ生成手段３６ｂは、Ｓ１５７の処理の後、Ｓ１２８の処理と同様に、ｃｅｎｔｒａｌ（Ｙｅ）の６４点の代表値を２５６点に増やすことによって、イエロー用ガンマ補正テーブル３５ｅを生成する（Ｓ１５８）。
【０１３４】
階調補正用データ生成手段３６ｂは、Ｓ１５８の処理の後、Ｓ１５８において生成したイエロー用ガンマ補正テーブル３５ｅを記憶部３５に記憶させて（Ｓ１５９）、図１６に示すイエロー用ガンマ補正テーブル生成処理を終了する。
【０１３５】
図４に示すように、階調補正用データ生成手段３６ｂは、Ｓ１１５のイエロー用ガンマ補正テーブル生成処理が終了すると、図４に示すガンマ補正テーブル生成処理を終了する。
【０１３６】
図３に示すように、制御部３６は、Ｓ１０３のガンマ補正テーブル生成処理が終了すると、記憶部３５に記憶されているブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅをプリンター３３に適用して（Ｓ１０４）、図３に示す動作を終了する。したがって、プリンター３３におけるブラック、シアン、マゼンタおよびイエローの階調特性は、それぞれ、目標とする階調特性と同一の階調特性、または、目標とする階調特性に近い階調特性になる。
【０１３７】
以上に説明したように、プリンター専用機３０は、測定デバイス２０によって測定された全ての波長の範囲のうちブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅの生成に適した特定の一部の波長の範囲の分光反射率に基づいてブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成する（Ｓ１２１〜Ｓ１２８、Ｓ１３１〜Ｓ１３８、Ｓ１４１〜Ｓ１４８、Ｓ１５１〜Ｓ１５８）ことができるので、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成する負担を低減することができる。
【０１３８】
プリンター専用機３０において、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅの生成に使用する波長の範囲は、図６、図１１、図１４および図１７に示すように、測定デバイス２０によって測定された全ての波長の範囲のうち少なくとも一部の範囲と比較して、色の階調の変化に対する分光反射率の変化が大きい範囲である。この構成により、プリンター専用機３０は、色の階調の変化に対する分光反射率の変化が大きい波長の範囲の分光反射率に基づいてブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成することができるので、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅの生成の負担を低減しながらも、適切なブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成することができる。
【０１３９】
プリンター専用機３０において、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅの生成に使用する波長の範囲は、ブラックおよびマゼンタと、シアンと、イエローとに対して異なっている（Ｓ１２１〜Ｓ１２８、Ｓ１３１〜Ｓ１３８、Ｓ１４１〜Ｓ１４８、Ｓ１５１〜Ｓ１５８）。この構成により、プリンター専用機３０は、測定デバイス２０によって測定された全ての波長の範囲のうちブラック、シアン、マゼンタおよびイエローのそれぞれに適した特定の一部の波長の範囲の分光反射率に基づいてブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成することができるので、ブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅの生成の負担を低減しながらも、適切なブラック用ガンマ補正テーブル３５ｂ、シアン用ガンマ補正テーブル３５ｃ、マゼンタ用ガンマ補正テーブル３５ｄおよびイエロー用ガンマ補正テーブル３５ｅを生成することができる。
【０１４０】
プリンター専用機３０は、本実施の形態において外部に測定デバイス２０を備えているが、測定デバイス２０をプリンター専用機３０自身の構成の一部として内蔵しても良い。
【０１４１】
本発明の画像形成装置は、本実施の形態においてプリンター専用機であるが、例えば、ＭＦＰ、コピー専用機、ファックス専用機など、プリンター専用機以外の画像形成装置であっても良い。
【０１４２】
本発明の電子機器は、プリンター専用機であるが、例えばＰＣなど、プリンター専用機以外の電子機器であっても良い。
【符号の説明】
【０１４３】
２０  測定デバイス
３０  プリンター専用機（画像形成装置）
３３  プリンター（印刷デバイス）
３５ａ  キャリブレーションプログラム
３５ｂ  ブラック用ガンマ補正テーブル（階調補正用データ）
３５ｃ  シアン用ガンマ補正テーブル（階調補正用データ）
３５ｄ  マゼンタ用ガンマ補正テーブル（階調補正用データ）
３５ｅ  イエロー用ガンマ補正テーブル（階調補正用データ）
３６ａ  分光反射率取得手段
３６ｂ  階調補正用データ生成手段
【図１】
2015207820.tif 000011
【図２】
2015207820.tif 000012
【図３】
2015207820.tif 000013
【図４】
2015207820.tif 000014
【図５】
2015207820.tif 000015
【図７】
2015207820.tif 000016
【図８】
2015207820.tif 000017
【図９】
2015207820.tif 000018
【図１０】
2015207820.tif 000019
【図１２】
2015207820.tif 000020
【図１３】
2015207820.tif 000021
【図１５】
2015207820.tif 000022
【図１６】
2015207820.tif 000023
【図１８】
2015207820.tif 000024
【図６】
2015207820.tif 000025
【図１１】
2015207820.tif 000026
【図１４】
2015207820.tif 000027
【図１７】
2015207820.tif 000028